(57)【要約】      （修正有）【課題】正確な時刻表示を行うと共に、速く時刻修正を行うことができるマルチ表示式時計を提供すること。【解決手段】マルチ表示式時計において、コントローラー７２はディスプレイ７１、ステッピングモーター４３２、５３２、６３２と連結され、プロセッサー７２１によってカウンター７２２がカレンダー時刻情報をカウントすると共に各ステッピングモーターを駆動するように制御する。カウンター７２２によるカウント結果に基づいてディスプレイ７１にカレンダー時刻情報を表示させ、且つ、カウンター７２２のカウント結果に基づいて各ステッピングモーターが駆動されると、文字盤に指針によってカレンダー時刻情報をディスプレイ７１にアナログ的に表示することができる。【選択図】図３
0003166277.tif 000002
【実用新案登録請求の範囲】
【請求項１】
表側に文字盤を有する時計本体と、
前記時計本体の前記文字盤に設けられて日付を表示する第１の指針と、前記文字盤に付された第１の目盛りと、前記第１の指針を駆動する第１のステッピングモーターと、前記第１の指針を回す第１のりゅうずとを有する第１の指針部と、
前記時計本体の前記文字盤に設けられて月を表示する第２の指針と、前記文字盤に付された第２の目盛りと、前記第２の指針を駆動する第２のステッピングモーターと、前記第２の指針を回す第２のりゅうずとを有する第２の指針部と、
前記時計本体に設けられ、時刻をデジタル的に表示するディスプレイと、
前記ディスプレイ、前記第１のステッピングモーター、及び前記第２のステッピングモーターと連結され、プロセッサーとカウンターとを有し、前記プロセッサーは前記カウンターがカレンダー時刻情報をカウントするように制御すると共に前記ステッピングモーターを駆動するように制御し、前記カウンターによるカウント結果に基づいて前記ディスプレイに前記カレンダー時刻情報を表示させ、且つ、前記カウンターのカウント結果に基づいて前記第１のステッピングモーター及び前記第２のステッピングモーターを駆動し、前記第１の指針及び前記第２の指針によって前記カレンダー時刻情報を前記ディスプレイにアナログ的に表示することができるコントローラーと、
を備えていることを特徴とするマルチ表示式時計。
【請求項２】
少なくとも時と分を表示する指針セットと、前記文字盤に前記指針セットの周りに付されたメイン目盛りと、前記指針セットを回転させるステッピングモーターと、手動操作により前記指針セットを前記メイン目盛りの所定の位置に調整するりゅうずとを有する主指針部を更に有し、
前記主指針部のステッピングモーターは、前記コントローラーと独立して駆動することを特徴とする請求項１に記載のマルチ表示式時計。
【請求項３】
前記時計本体の前記文字盤に設けられて曜日を表示する第３の指針と、前記文字盤に付された第３の目盛りと、前記第３の指針を駆動する第３のステッピングモーターと、前記第３の指針を回す第３のりゅうずとを有する第３の指針部を更に有し、
前記プロセッサーは、前記第３のステッピングモーターに接続されることを特徴とする請求項２に記載のマルチ表示式時計。
【請求項４】
前記ディスプレイは、前記時計本体の文字盤に設けられたことを特徴とする請求項１に記載のマルチ表示式時計。
【請求項５】
前記ディスプレイは、前記時計本体の裏側に設けられたことを特徴とする請求項１に記載のマルチ表示式時計。
【請求項６】
前記プロセッサーに接続され、手動操作により前記プロセッサーの動作モードを時刻設定モードと通常操作モードとの間で切り替える切替信号を生成して前記プロセッサーに送るモード選択スイッチと、
前記プロセッサーに接続され、前記プロセッサーが前記時刻設定モードにあるとき、手動操作により時刻を入力する入力信号を生成して前記プロセッサーに送る時刻設定入力部と、
前記プロセッサーに接続され、前記プロセッサーが前記時刻設定モードにあるとき、手動操作により前記プロセッサーが前記カウンターを制御して通常のカウントレートよりも速いカウントレートで前記カレンダー時刻情報を計測する加速制御信号を生成して前記プロセッサーに送る早送りスイッチと、
を更に備えていることを特徴とする請求項１に記載のマルチ表示式時計。
【考案の詳細な説明】
【技術分野】
【０００１】
本考案は、マルチ表示式時計に関し、デジタル式表示及び指針式表示を制御するプロセッサーを備えたマルチ表示式時計に関する。
【背景技術】
【０００２】
図７は、従来のマルチ表示式時計の一例を示す。図示の如く、このマルチ表示式時計１０は、時、分、秒、日付、曜日及び月を含むカレンダー時刻を表示する文字盤を備え、時、分、秒を表示する主指針部１１と、日付、月、曜日をそれぞれ表示する３つの補助指針部１２、１３、１４とを有する。
【０００３】
各指針部１１〜１４は、図示しないドライブ機構によって回転可能に駆動されており、このドライブ機構は、シングルステッピングモーターと、各指針部１１〜１４の指針の動きに合わせた所定の運針比に応じて設計されたギア比をもった複数の歯車からなった歯車列を有している。このドライブ機構は指針部１１の秒針を１秒に１ステップずつ動かすように駆動力を伝達するよう電子コントローラーで制御される。ドライブ機構からの駆動力が指針部１２〜１４の指針に伝わり、時計１０の文字盤に分、時、日付、曜日、及び月などの情報を表示するようになっている。
【考案の概要】
【考案が解決しようとする課題】
【０００４】
上記従来の時計において、これらの指針の動きは互いに関連しているので、秒針が正確に動くときのみ、他の指針部１１〜１４の各指針が正確に進むことができ、時計１０の時刻情報を正確に表示することができる。更に、歯車列によって指針部１１〜１４の全ての指針が駆動されるようにしなければならないため、構成が複雑になり、互いにかみ合う歯車数が多いので、誤差が累積的に多くなる。その結果、時計１０の時刻表示は不正確なものになってしてしまう。また、互いにかみ合う歯車列が多いため、正確な時刻を調整するための時間がかかり、使い勝手が悪い。
【０００５】
本考案は、上記問題点に鑑みてなされたものであり、従来のマルチ表示式時計よりも正確な時刻表示を行うと共に、速く時刻調整を行うことができるマルチ表示式時計を提供することを目的とする。
【課題を解決するための手段】
【０００６】
上記目的を達成するために、本考案は、表側に文字盤を有する時計本体と、時計本体の文字盤に設けられて日付を表示する第１の指針と、文字盤に付された第１の目盛りと、第１の指針を駆動する第１のステッピングモーターと、第１の指針を回す第１のりゅうずとを有する第１の指針部と、時計本体に設けられ、文字盤に設けられて月を表示する第２の指針と、文字盤に付された第２の目盛りと、第２の指針を駆動する第２のステッピングモーターと、第２の指針を回す第２のりゅうずとを有する第２の指針部と、時計本体に設けられ、時刻をデジタル的に表示するディスプレイと、ディスプレイ、第１のステッピングモーター、及び第２のステッピングモーターと連結され、プロセッサーとカウンターとを有し、プロセッサーはカウンターがカレンダー時刻情報をカウントするように制御すると共にステッピングモーターを駆動するように制御し、カウンターによるカウント結果に基づいてディスプレイにカレンダー時刻情報を表示させ、且つ、カウンターのカウント結果に基づいて第１のステッピングモーター及び第２のステッピングモーターを駆動し、第１の指針及び第２の指針によってカレンダー時刻情報をディスプレイにアナログ的に表示することができるコントローラーと、を備えていることを特徴とするマルチ表示式時計を提供する。
【０００７】
本考案のマルチ表示式時計において、少なくとも時と分を表示する指針セットと、文字盤に指針セットの周りに付されたメイン目盛りと、指針セットを回転させるステッピングモーターと、手動操作により指針セットをメイン目盛りの所定の位置に調整するりゅうずとを有する主指針部を更に有し、主指針部のステッピングモーターは、コントローラーと独立して駆動することを特徴とする。
【０００８】
本考案のマルチ表示式時計において、時計本体の文字盤に設けられて曜日を表示する第３の指針と、文字盤に付された第３の目盛りと、第３の指針を駆動する第３のステッピングモーターと、第３の指針を回す第３のりゅうずとを有する第３の指針部を更に有し、プロセッサーは、第３のステッピングモーターに接続されることを特徴とする。
【０００９】
本考案のマルチ表示式時計において、ディスプレイは、時計本体の文字盤に設けられてもよく、又は、時計本体の裏側に設けられてもよい。
【００１０】
本考案のマルチ表示式時計において、プロセッサーに接続され、手動操作によりプロセッサーの動作モードを時刻設定モードと通常操作モードとの間で切り替える切替信号を生成してプロセッサーに送るモード選択スイッチと、プロセッサーに接続され、プロセッサーが時刻設定モードにあるとき、手動操作により時刻を入力する入力信号を生成してプロセッサーに送る時刻設定入力部と、プロセッサーに接続され、プロセッサーが時刻設定モードにあるとき、手動操作によりプロセッサーがカウンターを制御して通常のカウントレートよりも速いカウントレートでカレンダー時刻情報を計測する加速制御信号を生成してプロセッサーに送る早送りスイッチと、を更に備えていることを特徴とする。
【考案の効果】
【００１１】
本考案のマルチ表示式時計において、日付、月などを示す各指針は、対応するステッピングモーターによって独立して駆動されている。且つ、各ステッピングモーターはプロセッサーに電気的に接続され、プロセッサーによってステッピングモーターをそれぞれ制御するので、日付、月などを示す各指針をそれぞれ駆動することによって、日付、月などをアナログ的に正確に表示することができる。また、本考案のマルチ表示式時計では、従来の時計のように時、分、秒、日付、曜日、月などを含む時刻情報を表示するための全ての指針を同時に駆動する複雑な歯車列を用いる必要がないので、構成がシンプルになる。
【図面の簡単な説明】
【００１２】
【図１】本考案の第１の実施形態にかかるマルチ表示式時計を示す正面図である。
【図２】図１のマルチ表示式時計を示す背面図である。
【図３】図１のマルチ表示式時計の構成を示すブロック図である。
【図４】本考案の第２の実施形態にかかるマルチ表示式時計を示す正面図である。
【図５】図４のマルチ表示式時計を示す背面図である。
【図６】本考案の第３の実施形態にかかるマルチ表示式時計を示す正面図である。
【図７】従来のマルチ表示式時計の一例を示す正面図である。
【考案を実施するための形態】
【００１３】
以下、本考案のマルチ表示式時計におけるいくつかの実施形態について図面を参照して説明する。なお、同一構成及び機能を有する構成要素については、同一番号を付してその説明を省略する。
【００１４】
（第１の実施形態）
図１〜図３を参照して、本考案の本実施形態にかかるマルチ表示式時計について説明する。図示の如く、本考案のマルチ表示式時計１の本体２は、表側に時刻を表示する円形の文字盤２１が配置されている。文字盤２１には、時、分、秒を表示する主指針部３と、日付、月、曜日をそれぞれ表示する３つの補助指針部４、５、６と、電子時刻計測装置７とが配置されている。電子時刻計測装置７は、年分、月、日付などを含む時刻情報をデジタル的に表すディスプレイ７１と、コントローラー７２と、入力部７３と、電源部７４とを有する。
【００１５】
主指針部３は、電池３０で動くように構成され、時、分及び秒を示すように文字盤２１の円周沿いに複数の太いマーク線３１１、細いマーク線３１２によって目盛り３１が付され、文字盤２１（紙面垂直方向）の上方に設置されてそれぞれ時、分、秒を指す指針３２１、３２２、３２３を含む指針セット３２によって時刻が表示される。時計本体２の裏側２２に指針駆動装置３３が取り付けられており、指針駆動装置３３によって一秒毎に一ステップずつ等間隔で進ませるように指針セット３２を駆動する。なお、文字盤２１上の目盛り３１の配置及び各指針３２１、３２２、３２３の進み方は、当技術分野で周知であり、詳細な説明を省略する。
【００１６】
指針駆動装置３３は、ステッピングモーター３３２と、指針セット３２を回転させるようステッピングモーター３３２によって駆動される歯車列（図示せず）と、手動操作により各指針３２１、３２２、３２３を回転させて所望の表示位置に調整するりゅうず３３１とを備えている。
【００１７】
補助指針部４は、文字盤２１上に日付を表示する目盛り４１が付され、目盛り４１は「１」〜「３１」の数字によるマーク４１１で日付を示す。目盛り４１で画成される円形エリアに指針４２が取り付けられている。時計本体２の裏側２２に指針駆動装置４３が取り付けられており、指針駆動装置４３によって一日毎に等間隔で進ませるように指針４２を駆動する。指針駆動装置４３は、ステッピングモーター４３２と、指針４２を回転させるようステッピングモーター４３２によって駆動される歯車列（図示せず）と、手動操作により指針４２を回転させて所望の表示位置に調整するりゅうず４３１とを備えている。
【００１８】
補助指針部５は、文字盤２１上に月を表示する目盛り５１が付され、目盛り５１は「１」〜「１２」の数字によるマーク５１１で月を示す。目盛り５１で画成される円形エリアに指針５２が取り付けられている。時計本体２の裏側２２に指針駆動装置５３が取り付けられており、指針駆動装置５３によって一月毎に等間隔で進ませるように指針５２を駆動する。指針駆動装置５３は、ステッピングモーター５３２と、指針５２を回転させるようステッピングモーター５３２によって駆動される歯車列（図示せず）と、指針５２１を回転させて所望の表示位置に調整するりゅうず５３１とを備えている。
【００１９】
補助指針部６は、文字盤２１上に曜日を表示する目盛り６１が付され、目盛り６１は「ＭＯＮ」〜「ＳＵＮ」の英文字によるマーク６１１で曜日を示す。目盛り６１で画成される円形エリアに指針６２が取り付けられている。時計本体２の裏側２２に指針駆動装置６３が取り付けられており、指針駆動装置６３によって一日毎に等間隔でステップして進ませるように指針６２を駆動する。指針駆動装置６３は、ステッピングモーター６３２と、指針６２を回転させるようステッピングモーター６３２によって駆動される歯車列（図示せず）と、手動操作により指針６２を回転させて所望の表示位置に調整するりゅうず６３１とを備えている。
【００２０】
ディスプレイ７１は、図１、３に示すように、文字盤２１上に配置されており、コントローラー７２に電気的に接続されており、年、月、日、曜日、時、分、秒などの時刻情報をデジタル的に表示するようになっている。コントローラー７２は、プロセッサー７２１と、デジタル的に時刻をカウントするカウンター７２２とを有する。入力部７３は、この例において文字盤２１上に取り付けられており、モードを選択する選択スイッチ７３４と、早送りスイッチ７３３と、桁数の増減をする桁上げボタン７３１と桁下げボタン７３２とからなる桁入力スイッチ７３０とを有する。電源部７４は、例えば電池を用い、時計本体２の裏側２２に設けられている。
【００２１】
プロセッサー７２１は、主指針部３のステッピングモーター３３２とは連結されていないが、補助指針部４、５、６のそれぞれのステッピングモーター４３２、５３２、６３２に電気的に連結されている。プロセッサー７２１はカレンダープログラムが内蔵されており、カウンター７２２を制御してカレンダープログラムに応じてカレンダー時刻情報を計測するようになっている。プロセッサー７２１において、またカウンター７２２のカウント結果に基づいてディスプレイ７１及びステッピングモーター４３２、５３２、６３２を制御するようになっている。そのようにして、ディスプレイ７１は、年、月、日、曜日、時、分、秒などのカレンダー時刻情報を表示することができる。また、補助指針部４、５、６の各指針４２、５２、６２は、日付、月、曜日などのカレンダー時刻情報をアナログ的に指すことができる。
【００２２】
主指針部３は、補助指針部４、５、６及びプロセッサー７２１とは独立して駆動するようになっており、主指針部３の指針３２１、３２２、３２３は、電源部３０及びステッピングモーター３３２によって従来の通り駆動される。
【００２３】
プロセッサー７２１は、所定期間、例えば２０００年から２０９９年の間の閏年を識別し、又は、ディスプレイ７１に表示された年が閏年であるか否かを定める。プロセッサー７２１はまた、所定の年における毎月の日数を識別したり設定したりすることができる。ある年が閏年であると判別されると、所定の月については３０日、所定の月については３１日、２月は２９日と設定するようになっている。一方、所定の年が平年であると、所定の月については３０日、所定の月については３１日、２月は２８日と設定するようになっている。
【００２４】
選択スイッチ７３４は、手動操作により時刻設定モード／通常操作モードのいずれかを選択してプロセッサー７２１の動作を切り替えるようになっている。プロセッサー７２１が時刻設定モードである場合、桁上げボタン７３１と桁下げボタン７３２の操作により生成されたデジタル時刻入力信号がプロセッサー７２１に送られる。プロセッサー７２１が時刻設定モードである場合、早送りスイッチ７３３の操作により生成された加速制御信号がプロセッサー７２１に送られる。
【００２５】
プロセッサー７２１は、ディスプレイ７１の現在の年、月、日付、曜日、時、分、秒の表示を制御するようになっている。通常の状態において、ディスプレイ７１には現在の年、例えば「２０１０」のみ表示されるようにする。プロセッサー７２１は、ステッピングモーター４３２、５３２、６３２を駆動させる一連の信号を生成するようにする。このように、指針４２、５２、６２を各自の回転レートで駆動する。この例において、日付を表示する指針４２は、一日にて１／３１周、月を示す指針５２は一月にて１／１２周、曜日を示す指針６２は一日にて１／７周回転されるようになっている。
【００２６】
毎晩零時（ＰＭ１２：００）に、プロセッサー７２１は信号を生成して指針４２及び６２を共に動かすことによって、現在の日付から次の日付へと指針４２が１／３１周又は３６０°／３１の角度だけ駆動されると共に、現在の曜日から次の曜日へと指針６２が１／７周又は３６０°／７の角度だけ駆動される。これにより指針４２及び６２が１日分進むようになる。
【００２７】
毎月最終日の夜中零時（ＰＭ１２：００）に、プロセッサー７２１は信号を生成してステッピングモーター４３２、５３２、６３２を同時に駆動させる。上述したものと同様に日付を表示する指針４２が次の日へと駆動され、曜日を示す指針６２が週における次の日へと駆動されると共に、月を表示する指針５２も次の月を示すように駆動される。指針４２の移動距離は今の月にある日数によって決まるようになっている。
【００２８】
現在の月が２８日間である場合、この月の２８日の夜中零時（ＰＭ１２：００）にプロセッサー７２１は信号を生成して、日付を表示する指針４２を、一度に４ステップ分、駆動する。これによって指針４２が「２８」日から来月の「１」日に動かされる。
【００２９】
現在の月が２９日間である場合、この月の２９日の夜中零時（１２：００）にプロセッサー７２１は信号を生成して、日付を表示する指針４２を、一度に３ステップ分、駆動する。これによって指針４２が「２９」日から来月の「１」日に動かされる。
【００３０】
現在の月が３０日間である場合、この月の３０日の夜中零時（１２：００）にプロセッサー７２１は信号を生成して、日付を表示する指針４２を、一度に２ステップ分、駆動する。これによって指針４２が「３０」日から来月の「１」日に動かされる。
【００３１】
現在の月が３１日間である場合、この月の３１日の夜中零時（１２：００）にプロセッサー７２１は信号を生成して、日付を表示する指針４２を、一度に１ステップ分、駆動する。これによって指針４２が「３１」日から来月の「１」日に動かされる。
【００３２】
マルチ表示式時計の点検においてカレンダー時刻情報を正しく示すことができるかどうかを調べたいとき、選択スイッチ７３４を押してプロセッサー７２１を時刻設定モードに切り替えることで時刻の調整動作を観察する。プロセッサー７２１は、時刻設定モードにおいて、早送りスイッチ７３３を押してプロセッサー７２１がカウンター７２２を制御し、通常のカウントレートよりも速いカウントレートでカウントしてカレンダー時刻情報を算出する。なお、速いカウントレートとは、例えば通常のカウントレートの１０倍とするが、１０倍より速くすることも、遅くすることも可能である。一例として、速いカウントレートで、０．１秒毎に１秒間増えるようにディスプレイ７１に時刻を表示する。速いカウントレートから得られた、カウンター７２２によるカウント結果に基づいて、プロセッサー７２１は信号を生成してディスプレイ７１に出力する。同様に、続いて日付の表示を速く変えることによってカレンダー時刻情報を表示することができる。プロセッサー７２１はカウント結果に基づいて、ステッピングモーター４３２、５３２、６３２のステップレートを加速する制御信号を生成することによって、指針４２、５２、６２のそれぞれを速く回すことが可能となる。オペレータはディスプレイ７１にカレンダー時刻情報をデジタル的に表示すること及び指針４２、５２、６２のステップ移動を観察することによって、マルチ表示式時計が正しくカレンダー時刻情報を計測することができるか否かを判定することができる。ディスプレイ７１が正確な時刻を表示できない、又は指針４２、５２、６２が正確な日付等を指すことができないとき、マルチ表示式時計における時刻等の計測に不具合があると判断できる。このように、カウンター７２２のカウントレートを上げることによって時計の点検を素早く行うことができる。
【００３３】
コントローラー７２の電池７４及び／又は主指針部３の電池３０を使い切ると、主指針部３及び補助指針部４、５、６の計測操作が同期できなくなる。この場合、新しい電池に取り替えた後、りゅうず３３１、４３１、５３１及び／又は６３１を回すことによって指針３２１、３２２、３２３、４２、５２、６２が正確な時刻を指すようにすることができる。
【００３４】
（第２の実施形態）
図４及び図５に示すように、この実施形態のマルチ表示式時計は、第１の実施形態のマルチ表示式時計と類似するが、ディスプレイ７１及び入力部７３は時計本体２の裏側２２に設けられた点に異なっている。このように、ディスプレイ７１として文字盤２１に設けていないことによって、時計の表側からはアナログ式時計として見せることができる。
【００３５】
（第３の実施形態）
図６に示すように、この実施形態のマルチ表示式時計は、第１の実施形態のマルチ表示式時計と類似するが、主指針部３の各指針３２１、３２２、３２３を有していない点で異なっている。ディスプレイ７１は、時、分を含んで表示するようになっている。
【００３６】
以上の説明により、本考案のマルチ式時計では、日付、月、曜日を示す各指針４２、５２、６２は、ステッピングモーター４３２、５３２、６３２によって独自の歯車列（図示せず）を介して独立に駆動され、且つ各ステッピングモーター４３２、５３２、６３２はプロセッサー７２１に電気的に接続されている。また、時、分、秒をそれぞれ示す指針３２１、３２２、３２３が主指針部３の各ステッピングモーター（図示せず）によって駆動されている。また、プロセッサー７２１によってステッピングモーター４３２、５３２、６３２をそれぞれ制御するので、日付、月、曜日を示す各指針４２、５２、６２をそれぞれ駆動することによって、日付、月、曜日をアナログ的に正確に表示することができる。また、本考案のマルチ表示式時計では、従来の時計のように時、分、秒、日付、曜日、月などを含む時刻情報を表示するための全ての指針を同時に駆動する複雑な歯車列を用いる必要がない。各指針部３〜６はそれぞれ歯車列が配置されているので、互いに複雑な歯車列構成で連結される必要もなくなるので、構成がシンプルになる。
【符号の説明】
【００３７】
１  マルチ表示式時計
２  時計本体
２１  文字盤
２２  裏側
３  主指針部
３０  電池
３１  目盛り
３１１、３１２  マーク線
３２  指針セット
３２１、３２２、３２３  指針
３３  指針駆動装置
３３１  りゅうず
３３２  ステッピングモーター
４、５、６  補助指針部
４１、５１、６１  目盛り
４１１、５１１、６１１  マーク
４２、５２、６２  指針
４３、５３、６３  指針駆動装置
４３１、５３１、６３１  りゅうず
４３２、５３２、６３２  ステッピングモーター
７１  ディスプレイ
７２  コントローラー
７２１  プロセッサー
７２２  カウンター
７３  入力部
７３０  桁入力スイッチ
７３１  桁上げボタン
７３２  桁下げボタン
７３３  早送りスイッチ
７３４  (モード)選択スイッチ
７４  電源部
【図１】
0003166277.tif 000003
【図２】
0003166277.tif 000004
【図３】
0003166277.tif 000005
【図４】
0003166277.tif 000006
【図５】
0003166277.tif 000007
【図６】
0003166277.tif 000008
【図７】
0003166277.tif 000009